(57)【要約】 【課題】引戸を開成した場合、引戸と縦窓枠或は壁との間から部屋に強い風が吹き込み、隙間風により大きな雑音が発生する。この雑音を防止する装置を提供する。【解決手段】両端の縦枠と上下横枠とこの縦枠及び横枠に支持されるガラス板とを備える内側と外側の引戸と、敷居枠とを具備する引戸構造であって、両引戸の少なくとも一方において、引戸の開放移動方向側の縦枠の端面に可撓性薄板を添着し且つ引戸の開成時に前記可撓性薄板の幅方向の先端が前記可撓性薄板の添着側引戸とは異なる引戸のガラス板との間に少許間隙が出来る程度に或は当接するまで延長して設け、引戸の開成時において、前記縦枠と該縦枠と対向するガラス板との間の間隙の通風路を閉塞して風音を防止する。また、縦枠に当接しない可撓性薄板の延長部分はその肉厚が薄くされている。【選択図】      図３
2005290721.tif 000002
【特許請求の範囲】
【請求項１】
両端の縦枠と、上下横枠と、前記縦枠及び横枠に支持されるガラス板とを備える内側と外側の引戸と、該両引戸の移動用敷居枠とを具備する引戸構造であって、前記内側或は外側の引戸の少なくとも一方において、引戸の開放移動方向側の縦枠の端面に可撓性薄板を添着し且つ前記内側と外側の引戸の完全閉成時と完全開成時との間の位置において前記可撓性薄板の幅方向の先端が前記可撓性薄板の添着側引戸とは異なる引戸のガラス板との間に少許間隙が出来る程度に或は当接するまで延長して設け、前記内側と外側の引戸の完全閉成時と完全開成時との間の位置において、前記縦枠と該縦枠と対向するガラス板との間の間隙の通風路を閉塞して風音を防止する引戸の風音防止装置。
【請求項２】
前記可撓性薄板の縦枠に添着される面には接着剤が塗布されており、且つ縦枠に当接しない延長部分はその肉厚が薄くされている引戸の風音防止装置。
【発明の詳細な説明】
【技術分野】
【０００１】
本発明は引戸の風音防止装置に関するものである。更に詳述すると、高層建築の家屋の外気に接する引戸を全開の４分の１から３分の１位に開けて置くと、部屋の外方側の引戸の縦枠と部屋の内方側の引戸のガラスとの隙間を通過する風により悲鳴のようなヒューという非常に大きな連続音が発生することがあり、本発明はこのような引戸の風音を抑制或は防止する風音防止装置に関するものである。
【背景技術】
【０００２】
従来、例えば、特開平６−１８５２７１号には、アルミサッシュ窓の引戸の下端において、窓枠側に発泡ポリウレタンフォームやポリエチレンテープを粘着させて、外部の音を防止し、且つ隙間風を防止するという技術が開示されている。即ち、この技術は引戸の下端と窓枠との間の隙間を塞ぐという技術である。
【０００３】
また、特開平１０―３３９０７７号には、片引き引戸と方立てとの間のクリアランスを閉塞するため、閉塞部材を方立てに調整可能に嵌入させるという技術が開示されている。
【特許文献１】特開平６−１８５２７１号
【特許文献２】特開平１０―３３９０７７号
【発明の開示】
【発明が解決しようとする課題】
【０００４】
高層建築のマンション等において、外界から吹きつける風の強さにもよるが、屋外の外気に接する引戸を開成と閉成の間の位置にした場合、即ち、引戸を数センチメートルから数１０センチメートル開成した場合、引戸（１）と縦窓枠或は壁との間から部屋に強い風が吹き込み、一方、部屋の内方側の他の引戸（２）の縦枠と部屋の外方側の引戸（１）のガラス（６、６’）との隙間から部屋の中の空気が急速に屋外に向かって吹き出し、その隙間風により悲鳴のようなヒューという非常に大きな連続音が発生する（図２参照）ことがあり、この風音を防止する風音防止装置を提供することを目的としている。
【課題を解決するための手段】
【０００５】
上記の目的を達成するために、請求項１に記載の引戸の風音防止装置は、両端の縦枠と、上下横枠と、前記縦枠及び横枠に支持されるガラス板とを備える内側と外側の引戸と、該両引戸の移動用敷居枠とを具備する引戸構造であって、前記内側或は外側の引戸の少なくとも一方において、引戸の開放移動方向側の縦枠の端面に可撓性薄板を添着し且つ前記内側と外側の引戸の完全閉成時と完全開成時との間の位置において前記可撓性薄板の幅方向の先端が前記可撓性薄板の添着側引戸とは異なる引戸のガラス板との間に少許間隙が出来る程度に或は当接するまで延長して設け、前記内側と外側の引戸の完全閉成時と完全開成時との間の位置において、前記縦枠と該縦枠と対向するガラス板との間の間隙の通風路を閉塞して風音を防止するようになされている。
【０００６】
また、請求項２に記載の引戸の風音防止装置は、前記可撓性薄板の縦枠に添着される面には接着剤が塗布されており、且つ縦枠に当接しない延長部分はその肉厚が薄くされている。
【発明の効果】
【０００７】
本発明の引戸の風音防止装置は、内側或は外側の引戸の少なくとも一方において、引戸の開放移動方向側の縦枠の端面に可撓性薄板を添着し且つ前記内側と外側の引戸の完全閉成時と完全開成時との間の位置において前記可撓性薄板の幅方向の先端が前記可撓性薄板の添着側引戸とは異なる引戸のガラス板との間に少許間隙が出来る程度に延長して設けられているので、前記内側と外側の引戸の完全閉成時と完全開成時との間の位置において、前記縦枠と該縦枠と対向するガラス板との間の間隙の通風路が閉塞され、風音の発生が防止される。また、可撓性薄板の縦枠に添着される面には接着剤が塗布されている場合には可撓性薄板を縦枠に添着する作業がし易い。更にまた、縦枠に当接しない可撓性薄板の延長部分の肉厚を薄くした場合には可撓性薄板の可撓性が一層良くなる。
また、高層建築の家屋の場合、風音が発生するか、どうか、家屋が完成するまで、予測できないことが多いが、本発明の可撓性薄板は家屋の完成後にも、縦枠に容易に添着出来
るので、極めて有効である。
【発明を実施するための最良の形態】
【０００８】
次に本発明の実施の形態を図面を参照しつつ説明する。
図はいずれも本発明の引戸の風音防止装置を示す図面である。図１において、同図１（ａ）は同図（ｂ）における（Ｘ）−（Ｙ）から見た図である。１は屋外の外気に接する外側の引戸、２は屋内側の内側の引戸である。引戸１は縦枠３、３’、上下横枠４、４’、中枠５、及びガラス６、６’からなっている。引戸２は縦枠７、７’、上下横枠８、８’、中枠９、及びガラス１０、１０’からなっている。横中枠１１の上には空気孔用ガラス引戸１２、１２’が設けられている。引戸１、２の上下には引戸移動用の敷居枠（図示せず）が設けられている。また、引戸１、２の左右には縦方向に縦窓枠或は壁１３、１３’が設けられ、引戸１、２の閉成時に引戸の端縁と接触する。      
【０００９】
図２は外側の引戸１を全開時の約４分の１程開いた状態を示す。図２において、同図２（ａ）は同図（ｂ）における（Ｘ）−（Ｙ）から見た図である。この場合、屋外の風が矢印Ｐのような方向に屋内（部屋）に吹き込んで来る。そして、部屋の空気が内側の引戸２の縦枠７と外側の引戸１のガラス６、６’との間隙から矢印Ｑ、Ｑ’の方向に部屋から屋外に急速に流出する。その際、大きな悲鳴のような音を発する。
マンション等の高層建築の引戸には外方から非常に強い風が吹き付けており、風の強さは建物の引戸の位置（高さ）、引戸の向き、周囲の建物の状況により、大きく変わるが、地面の低い位置では予想できない程強い風が吹いている。
【００１０】
本発明者の実験によると、高層建築のマンション等において、外界から吹きつける風の強さにもよるが、屋外の外気に接する引戸を開成と閉成の間の位置にした場合、即ち、引戸を数センチメートルから数１０センチメートル開成した場合、図２において引戸１と縦窓枠或は壁１３との間から部屋に強い風が吹き込み、一方、部屋の内方側の引戸２の縦枠７と部屋の外方側の引戸１のガラス６、６’との隙間から部屋の中の空気が急速に屋外に向かって吹き出し、その隙間風により風笛動作が起こり、悲鳴のようなヒューという非常に大きな連続雑音が発生することを本発明者は知見した。また、引戸１，２を完全に閉成したり、開成すると、連続雑音は止まる。夏季には蒸し暑いので、引戸を開けて、涼しい風を部屋に入れたいが、大きな連続雑音が発生し、テレビの音声さえ打ち消されて聞こえないことがあり、また、引戸を全開にすると、吹き込む風が強すぎて部屋の置き物が吹き飛ばされるという問題が発生する。
【００１１】
図３は引戸１、２の閉成時に相接する外側の引戸１の縦枠３’の端面（Ｓ）と内側の引戸２の縦枠７の端面（Ｔ）にそれぞれ合成樹脂製の可撓性薄板１４、１４’、及び１５、１５’を添着している。この可撓性薄板１４、１４’、及び１５、１５’により引戸１の縦枠３’と引戸２のガラスとの間の隙間及び内側の引戸２の縦枠７と引戸１のガラスとの間の隙間がなくなり、上述のような隙間風による悲鳴のようなヒューという非常に大きな音が発生しなくなる。尚、引可撓性薄板１４、１４’、及び１５、１５’の幅および長さは引戸の規格によりいろいろ変わるが、本実験においてはその厚さは約１ｍｍ，幅は約２５ｍｍであり、引戸との接着面の幅は約１７ｍｍ、延長部（引戸からガラスの方へ伸びる曲折自由部）の幅は約８ｍｍであり、この延長部とガラスとの隙間は約１ｍｍである。尚又、引可撓性薄板１４、１４’の引可撓性薄板１４、１４’はブラシ状に形成すれば、ガラス面に当接しても，ガラス面を傷つける恐れがない。また、引戸１，２を完全に開成した場合、可撓性薄板１４、１４’及び１５、１５’の延長部はそれぞれ引戸１及び２の縦枠３、３’及び７、７’に巻き込まれるが、可撓性薄板には可撓性および弾性があるので、損傷することはない。この実施例においては、引戸１、は２の高さ（Ｈ）約１８０センチメートル、引戸の幅（Ｗ）は約１８０センチメートルである。
【００１２】
図４は引戸１及び２の要部の一部断面図を示す。即ち、引戸１、２の閉成時に相接する外側の引戸１の縦枠３’と内側の引戸２の縦枠７の端面にそれぞれ合成樹脂製の引可撓性薄板１４、１４’、及び１５、１５’が設けられているので、それらによりそれぞれ引戸１及び２の端面と引戸２と１のガラスとの隙間が塞がれ、大きな連続雑音が発生することはない。また、本発明者の実験によると、引可撓性薄板１４、１４’或は１５、１５’の内のいずれか一方だけでも連続雑音の発生を十分抑制できるが、双方を用いた方がより効果的であることは言うまでもない。また、引戸２には施錠鍵１６が設けられており、鍵１６の周辺の上下引可撓性薄板１４、１４’が存在しない部分があるが、その影響は全く認められなかった。
【図面の簡単な説明】
【００１３】
【図１】本発明の引戸の風音防止装置の引戸閉成時の状態を示す図である。
【図２】本発明の引戸の風音防止装置の引戸開成時の状態を示す図である。
【図３】本発明の引戸の風音防止装置の引戸開成時において、引戸の縦枠の端面に合成樹脂製の可撓性薄板を添着した状態を示す図である。
【図４】本発明の引戸の風音防止装置の要部の一部断面図であり、引戸開成時において、引戸の縦枠の端面に合成樹脂製の可撓性薄板を添着した状態を示す図である。
【符号の説明】
【００１４】
１                            外側の引戸
２                            内側の引戸
３、３’、７、７’            縦枠
４、４’, ８、８’            上下横枠、
５、９                        中枠
６、６’、１０、１０’        ガラス
１１                          横中枠
１２、１２’                  空気孔用ガラス引戸
１３、１３’                  縦窓枠或は壁
１４、１４’、１５、１５’    可撓性薄板      
１６                          施錠鍵
【図１】
2005290721.tif 000003
【図２】
2005290721.tif 000004
【図３】
2005290721.tif 000005
【図４】
2005290721.tif 000006
【手続補正書】
【提出日】平成16年4月1日(2004.4.1)
【手続補正１】
【補正対象書類名】明細書
【補正対象項目名】０００８
【補正方法】変更
【補正の内容】
【０００８】
次に本発明の実施の形態を図面を参照しつつ説明する。
図はいずれも本発明の引戸の風音防止装置を示す図面である。図１において、同図１（ａ）は同図（ｂ）における（Ｘ）−（Ｙ）から見た図である。１は屋外の外気に接する外側の引戸、２は屋内側の内側の引戸である。引戸１は縦枠３、３’、上下横枠４、４’、中枠５、及びガラス６、６’からなっている。引戸２は縦枠７、７’、上下横枠８、８’、中枠９、及びガラス１０、１０’からなっている。横中枠１１の上には空気孔用ガラス引戸１２、１２’が設けられている。引戸１、２の上下には引戸移動用の敷居枠（１７）が設けられている。また、引戸１、２の左右には縦方向に縦窓枠或は壁１３、１３’が設けられ、引戸１、２の閉成時に引戸の端縁と接触する。      
【手続補正２】
【補正対象書類名】明細書
【補正対象項目名】００１１
【補正方法】変更
【補正の内容】
【００１１】
図３及び図４は引戸１、２の閉成時に相接する外側の引戸１の縦枠３’の端面（Ｓ）と内側の引戸２の縦枠７の端面（Ｔ）にそれぞれ合成樹脂製の可撓性薄板１４、１４’、及び１５、１５’を添着している。この可撓性薄板１４、１４’、及び１５、１５’により引戸１の縦枠３’と引戸２のガラスとの間の隙間及び内側の引戸２の縦枠７と引戸１のガラスとの間の隙間がなくなり、上述のような隙間風による悲鳴のようなヒューという非常に大きな音が発生しなくなる。尚、可撓性薄板１４、１４’、及び１５、１５’の幅および長さは引戸の規格によりいろいろ変わるが、本実験においてはその厚さは約１ｍｍ，幅は約２５ｍｍであり、引戸との接着面の幅は約１７ｍｍ、延長部（引戸からガラスの方へ伸びる曲折自由部）の幅は約８ｍｍであり、この延長部とガラスとの隙間は約１ｍｍである。尚又、可撓性薄板１４、１４’及び可撓性薄板１５、１５’はブラシ状に形成すれば、ガラス面に当接しても，ガラス面を傷つける恐れがない。また、引戸１，２を完全に開成した場合、可撓性薄板１４、１４’及び１５、１５’の延長部はそれぞれ引戸１及び２の縦枠３、３’及び７、７’に巻き込まれるが、可撓性薄板には可撓性および弾性があるので、損傷することはない。この実施例においては、引戸１および２の高さ（Ｈ）は約１８０センチメートル、引戸の幅（Ｗ）は約１８０センチメートルである。
【手続補正３】
【補正対象書類名】明細書
【補正対象項目名】００１２
【補正方法】変更
【補正の内容】
【００１２】
図４は引戸１及び２の要部の一部断面図を示す。即ち、引戸１、２の閉成時に相接する外側の引戸１の縦枠３’と内側の引戸２の縦枠７の端面にそれぞれ合成樹脂製の可撓性薄板１４、１４’、及び１５、１５’が設けられているので、それらによりそれぞれ引戸１及び２の端面と引戸２と１のガラスとの隙間が塞がれ、大きな連続雑音が発生することはない。また、本発明者の実験によると、引可撓性薄板１４、１４’或は１５、１５’の内のいずれか一方だけでも連続雑音の発生を十分抑制できるが、双方を用いた方がより効果的であることは言うまでもない。また、引戸２には施錠鍵１６が設けられており、鍵１６の周辺の上下には可撓性薄板１４、１４’が存在しない部分があるが、その影響は全く認められなかった。
【手続補正４】
【補正対象書類名】明細書
【補正対象項目名】００１４
【補正方法】変更
【補正の内容】
【００１４】
１                            外側の引戸
２                            内側の引戸
３、３’、７、７’            縦枠
４、４’, ８、８’            上下横枠、
５、９                        中枠
６、６’、１０、１０’        ガラス
１１                          横中枠
１２、１２’                  空気孔用ガラス引戸
１３、１３’                  縦窓枠或は壁
１４、１４’、１５、１５’    可撓性薄板      
１６                          施錠鍵
１７                          敷居枠
【手続補正５】
【補正対象書類名】図面
【補正対象項目名】図１
【補正方法】変更
【補正の内容】
【図１】
2005290721.tif 000007
【手続補正書】
【提出日】平成16年4月7日(2004.4.7)
【手続補正１】
【補正対象書類名】明細書
【補正対象項目名】００１２
【補正方法】変更
【補正の内容】
【００１２】
図４は引戸１及び２の要部の一部断面図を示す。即ち、引戸１、２の閉成時に相接する外側の引戸１の縦枠３’と内側の引戸２の縦枠７の端面にそれぞれ合成樹脂製の可撓性薄板１４、１４’、及び１５、１５’が設けられているので、それらによりそれぞれ引戸１及び２の端面と引戸２と１のガラスとの隙間が塞がれ、大きな連続雑音が発生することはない。また、本発明者の実験によると、可撓性薄板１４、１４’或は１５、１５’の中のいずれか一方だけでも連続雑音の発生を十分抑制できるが、双方を用いた方がより効果的であることは言うまでもない。また、引戸２には施錠鍵１６が設けられており、鍵１６の周辺の上下には可撓性薄板１４、１４’が存在しない部分があるが、その影響は全く認められなかった。
【手続補正２】
【補正対象書類名】明細書
【補正対象項目名】００１４
【補正方法】変更
【補正の内容】
【００１４】
１                            外側の引戸
２                            内側の引戸
３、３’、７、７’            縦枠
４、４’, ８、８’            上下横枠、
５、９                        中枠
６、６’、１０、１０’        ガラス
１１                          横中枠
１２、１２’                  空気孔用ガラス引戸
１３、１３’                  縦窓枠或は壁
１４、１４’、１５、１５’    可撓性薄板      
１６                          施錠鍵
１７                          敷居枠
Ｐ                            屋外から部屋に吹き込む風の方向
Ｑ，Ｑ’                      部屋から屋外に流出する風の方向
Ｓ，Ｔ                        それぞれ縦枠３’及び縦枠７の端面
【手続補正３】
【補正対象書類名】図面
【補正対象項目名】図２
【補正方法】変更
【補正の内容】
【図２】
2005290721.tif 000008